(57)【特許請求の範囲】
【請求項１】
レピア織機の緯入れ用レピアのためのレピア・クランプであって、互い弾性接触する第１の保持部材（１）及び第２の保持部材（２）を有し、かつ該第１の保持部材（１）及び該第２の保持部材（２）が２つのアームを備えたレバー（１１，２１；１２，２２）としてそれぞれ形成されるとともに共通軸（３）の周りを相互に回動可能であるレピア・クランプにおいて、
前記第１の保持部材（１）は第１の表面（１４）を有し、かつ前記第２の保持部材（２）は第２の表面（１３）を有し、
前記第１及び第２の表面（１３，１４）は、間隙幅が徐々に減少する入口セクション（１６）とほぼ一定の間隙幅を有する保持セクション（１７）とを形成し、かつ
緯糸を収容するために前記保持セクション（１７）の幅方向全体及び長さ方向全体にわたる自由空間（１５）を予め提供するために、相対向して配置された前記第１及び第２の表面（１３，１４）を前記保持セクション（１７）内において互いに離間した状態にて保持するための手段（１９，３１）が設けられており、
相対向して配置された前記第１及び第２の表面（１３，１４）は緯糸が収容されているか否かに関わらず常に互いに離間した状態であり、かつ
前記第１及び第２の表面（１３，１４）の各々は、前記保持セクション（１７）の部分において、前記アームの長さに沿ってそれぞれ延びるとともに少なくとも部分的に互いに係合している歯状溝部を備える、ことを特徴とするレピア・クランプ。
【請求項２】
前記複数の保持部材（１，２）の少なくとも一方の表面（１３，１４）に形成された突起部（１９）を有する請求項１に記載のクランプ。
【請求項３】
前記自由空間（１５）を調整するための調整部材（３１）を有する請求項１に記載のクランプ。
【請求項４】
請求項１乃至３のいずれか一項に記載のレピア・クランプを有するレピア織機。
【発明の詳細な説明】
【０００１】
【発明の属する技術分野】
本発明はレピア織機（Greiferwebmaschine）の緯入れ用レピア（Bringergreifer）のためのレピア・クランプ（Greiferklemme）であって、互いに弾性接触する第１の保持部材及び第２の保持部材を有するレピア・クランプと、同レピア・クランプを有するレピア織機とに関する。
【０００２】
【従来の技術及び発明が解決しようとする課題】
緯糸を把持すべく共通軸の周りを相互に回動する第１の把持部材及び第２の把持部材と、同第１の把持部材及び第２の把持部材を互いに付勢させ、かつ把持力を形成するバネとを有するレピア・クランプが知られている。２つの把持部材は入口間隙と、同入口間隙に隣接して設けられた緯糸を把持するための把持セクションとを形成する。
【０００３】
前記のレピア・クランプは弾性力が加わる把持位置を有し、同弾性力は比較的大きな圧力を緯糸に加え、さらには異なる太さ及び構造を有する複数の緯糸を同一の把持力で緯入れすることを大きく制限するという問題点を有する。
【０００４】
本発明の目的は比較的大きな圧力を緯糸に加えることなく、異なる太さ及び構造を有する複数の緯糸の効果的な緯入れを可能にしたレピア・クランプを提供することにある。
【０００５】
【課題を解決するための手段】
本発明の目的を達成すべく、レピア織機の緯入れ用レピアのためのレピア・クランプであって、互い弾性接触する第１の保持部材（１）及び第２の保持部材（２）を有し、かつ該第１の保持部材（１）及び該第２の保持部材（２）が２つのアームを備えたレバー（１１，２１；１２，２２）としてそれぞれ形成されるとともに共通軸（３）の周りを相互に回動可能であるレピア・クランプにおいて、該第１の保持部材（１）は第１の表面（１４）を有し、かつ該第２の保持部材（２）は第２の表面（１３）を有し、該第１及び第２の表面（１３，１４）は、間隙幅が徐々に減少する入口セクション（１６）とほぼ一定の間隙幅を有する保持セクション（１７）とを形成し、かつ緯糸を収容するために該保持セクション（１７）の幅方向全体及び長さ方向全体にわたる自由空間（１５）を予め提供するために、相対向して配置された第１及び第２の表面（１３，１４）を該保持セクション（１７）内において互いに離間した状態にて保持するための手段（１９，３１）が設けられており、相対向して配置された該第１及び第２の表面（１３，１４）は緯糸が収容されているか否かに関わらず常に互いに離間した状態であり、かつ該第１及び第２の表面（１３，１４）の各々は、該保持セクション（１７）の部分において、アームの長さに沿ってそれぞれ延びるとともに少なくとも部分的に互いに係合している歯状溝部を備えることを特徴とするレピア・クランプを提供する。更に、本発明のレピア・クランプを有するレピア織機を提供する。
【０００６】
【発明の実施の形態】
図１〜図３において、レピア・クランプは第１の保持部材１、第２の保持部材２、ジョイント・ピン３、復元バネ４及び停止部材５を有する。第１の保持部材１及び第２の保持部材２は２つのアームを備えたレバーとしてそれぞれ形成され、かつジョイント・ピン３によって互いに連結されている。第１の保持部材１は固定位置に配置され、第２の保持部材２は第１の保持部材１に対して回動可能に配置されている。第１の保持部材１及び第２の保持部材２の一方のアーム対１１，１２は歯状溝部１５を互いに対向する２つの表面１３，１４上にそれぞれ有する。２つの歯状溝部１５は２つのアーム１１，１２の長さに沿ってそれぞれ延び、かつ互いに係合する（図２及び図３参照）。前記のアーム対１１，１２は間隙幅が徐々に減少する入口セクション１６と、緯糸１８を保持するためのほぼ一定の間隙幅を有する保持セクション１７と、２つのアーム１１，１２の互いに対向する２つの表面が図２に示すように上下に重なるセクション１９とを自由端側から順次形成している。これを実現すべく、第２の保持部材２のアーム１２上のセクション１９は突起部として形成されている。復元バネ４は他方のアーム対を構成する２つのアーム２１，２２の間に配置され、かつ前記の一方のアーム対１１，１２のセクション１９の互いに対向する２つの表面を互いに弾性的に付勢して当接した状態に保持する（図２参照）。停止部材５は復元バネ４内に配置されている。停止部材５は前記の他方のアーム対２１，２２の回動を制限し、かつ、これによってバネ４の圧縮を制限する。部材６はレピア・クランプ内への緯糸１８の侵入深度を制限すべくレピア・クランプに対して固定できる。突起部１９に代えて、支持部を表面１３，１４に取付け得る。
【０００７】
図１及び図４に示すように、異なる太さまたは構造を有する複数の緯糸は本発明のレピア・クランプによる保持が可能である。保持セクション１７の間隙幅及び弾性力は、細い緯糸１８を把持することなく巻き付け摩擦、即ち、構造化された表面との摩擦係合のみによって同細い緯糸１８を保持することを可能にする。太い緯糸の場合、巻き付け摩擦を補助、即ち増大すべく、バネ４によって弾性作用が形成される。２つのアーム２１，２２がスペーサ、即ち停止部材５に対して当接している場合、レピア・クランプはウェッジ・クランプ（Keilklemme）のように作用する。これにより、緯入れする緯糸に加わる圧力を最小限に抑制できるうえ、異なる太さ及び構造を有する複数の緯糸の効果的な緯入れが可能である。
【０００８】
図５は本発明の実施の形態に基づく間隙幅の調整が可能なレピア・クランプを示す。調整ネジ３１は保持セクション１７の最小間隙幅を調整するために設けられている。別の調整ネジ３２は最大間隙幅を調整するために設けられている。調整ネジ３２はプラスチック等からなる緩衝部材３３を有する。
【０００９】
レピア・クランプは第１の保持部材１及び第２の保持部材２を有し、同第１の保持部材１及び第２の保持部材２は相互に回動可能に配置され、かつ予備付勢によって互いに弾性接触している。複数の歯状溝部によって画定された緯糸を収容する自由空間１５を形成すべく、間隙保持手段１９は複数の保持部材１，２の互いに対向する複数の表面の間に配置されている。
【００１０】
【発明の効果】
以上詳述したように、本発明によれば、比較的大きな圧力を緯糸に加えることなく、異なる太さ及び構造を有する複数の緯糸の効果的な緯入れが可能になるという優れた効果を発揮する。
【図面の簡単な説明】
【図１】本発明の第１の実施の形態に基づくレピア・クランプの側面図であって、同レピア・クランプは細い緯糸を保持した状態にある。
【図２】図１のII−II線における横断面図である。
【図３】図１のIII −III 線における横断面図である。
【図４】太い糸を保持した状態にある図１のレピア・クランプの側面図である。
【図５】本発明の第２の実施の形態に基づくレピア・クランプの側面図である。
【符号の説明】
１…第１の保持部材、２…第２の保持部材、３…共通軸、１１，１２，２１，２２…アーム、１３，１４…保持部材の表面、１５…歯状溝部によって画定された自由空間、１７…保持セクション、１９…突起部、３１…調整部材。
【図１】
0004063376.tif 000002
【図２】
0004063376.tif 000003
【図３】
0004063376.tif 000004
【図４】
0004063376.tif 000005
【図５】
0004063376.tif 000006